【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
ＵＨＤＴＶ用の映像信号及び所定チャンネル数の音声信号を入力し、前記映像信号のソースイメージを分割して複数のサブイメージを生成し、前記サブイメージ毎に、当該サブイメージを分割して複数のベーシックイメージを生成し、前記ベーシックイメージ毎に、当該ベーシックイメージから画素のラインデータを順次取り出して対応する系統のベーシックストリームを生成し、複数系統の前記ベーシックストリームを合成してリンク信号を生成し、前記映像信号と音声信号とを多重した前記リンク信号を送信する映像音声信号送信装置において、
前記音声信号からチャンネル毎の音声データを抽出し、前記音声データを含む音声データパケットであることを示す識別データ及び前記抽出した音声データを、前記音声データパケットの所定領域にそれぞれ格納し、前記音声データパケットを生成する音声データパケット生成部と、
前記音声信号から、チャンネル毎の音声データに含まれるチャンネルに関する情報を抽出し、前記チャンネルに関する情報に基づいて音声制御データを生成し、前記音声制御データを含む音声制御パケットであることを示す識別データ及び前記生成した音声制御データを、前記音声制御パケットの所定領域にそれぞれ格納し、前記音声制御パケットを生成する音声制御パケット生成部と、
前記音声データパケット生成部により生成された音声データパケットを、前記ベーシックストリームの補助データ領域に格納し、前記音声制御パケット生成部により生成された音声制御パケットを、前記音声データパケットを格納した系統とは異なる系統の前記ベーシックストリームの補助データ領域に格納し、各系統のベーシックストリームを生成するベーシックストリーム生成部と、
を備えたことを特徴とする映像音声信号送信装置。
【請求項２】
請求項１に記載の映像音声信号送信装置において、
前記ベーシックストリーム生成部は、
前記ＵＨＤＴＶ用の映像信号の１フレームに対応する前記所定チャンネル数の音声信号から生成された前記音声データパケットを、１フレームに相当する前記ベーシックフレームに多重し、前記ＵＨＤＴＶ用の映像信号の１フレームに対応する前記所定チャンネル数の音声信号から生成された前記音声制御パケットを、前記音声データパケットを多重した系統とは異なる系統の１フレームに相当する前記ベーシックフレームに多重する、ことを特徴とする映像音声信号送信装置。
【請求項３】
請求項１または２に記載の映像音声信号送信装置において、
前記ベーシックストリーム生成部は、
前記音声データパケット生成部により生成された音声データパケットを、所定系統の前記ベーシックストリームの補助データ領域、及び前記所定系統とは異なる系統の前記ベーシックストリームの補助データ領域に格納する、ことを特徴とする映像音声信号送信装置。
【請求項４】
請求項１から３までのいずれか一項に記載の映像音声信号送信装置において、
前記ベーシックストリーム生成部は、
前記音声制御パケット生成部により生成された音声制御パケットを、前記音声データパケットを格納した系統とは異なる系統の前記ベーシックストリームの補助データ領域であって、所定系統の前記ベーシックストリームの補助データ領域、及び前記所定系統とは異なる系統の前記ベーシックストリームの補助データ領域に格納する、ことを特徴とする映像音声信号送信装置。
【請求項５】
ＵＨＤＴＶ用の映像信号及び所定チャンネル数の音声信号が多重された複数系統のリンク信号を受信し、前記リンク信号毎に、当該リンク信号から複数系統のベーシックストリームを復元し、前記ベーシックストリームから対応するベーシックイメージを復元し、複数系統の前記ベーシックイメージを合成してサブイメージを生成し、複数系統の前記サブイメージを合成して前記ＵＨＤＴＶ用の映像信号を復元すると共に、前記所定チャンネル数の音声信号を復元する映像音声信号受信装置において、
前記ベーシックストリームの補助データ領域に格納されたパケットの識別データに基づいて、前記補助データ領域から音声制御パケットを抽出して復元し、前記音声制御パケットに格納された音声制御データを抽出する音声制御パケット復元部と、
前記ベーシックストリームの補助データ領域に格納されたパケットの識別データに基づいて、前記補助データ領域から音声データパケットを抽出して復元し、前記音声データパケットに格納された音声データを抽出し、前記音声データに基づいて、前記音声信号を復元する音声データパケット復元部と、
を備えたことを特徴とする映像音声信号受信装置。
【請求項６】
請求項５に記載の映像音声信号受信装置において、
前記音声制御パケット復元部は、
前記ベーシックストリームの補助データ領域に格納されたパケットの識別データに基づいて、所定系統の前記ベーシックストリームの補助データ領域、及び前記所定系統とは異なる系統の前記ベーシックストリームの補助データ領域から音声制御パケットを抽出して復元し、前記音声制御パケットに格納された音声制御データを抽出する、ことを特徴とする映像音声信号受信装置。
【請求項７】
請求項５または６に記載の映像音声信号受信装置において、
前記音声データパケット復元部は、
前記ベーシックストリームの補助データ領域に格納されたパケットの識別データに基づいて、前記音声制御パケットが抽出された系統とは異なる系統の前記ベーシックストリームの補助データ領域であって、所定系統の前記ベーシックストリームの補助データ領域、及び前記所定系統とは異なる系統の前記ベーシックストリームの補助データ領域から音声データパケットを抽出して復元し、前記音声データパケットに格納された音声データを抽出し、前記音声データに基づいて、前記音声信号を復元する、ことを特徴とする映像音声信号受信装置。
【請求項８】
ＵＨＤＴＶ用の映像信号及び所定チャンネル数の音声信号を入力し、前記映像信号のソースイメージを分割して複数のサブイメージを生成し、前記サブイメージ毎に、当該サブイメージを分割して複数のベーシックイメージを生成し、前記ベーシックイメージ毎に、当該ベーシックイメージから画素のラインデータを順次取り出して対応する系統のベーシックストリームを生成し、複数系統の前記ベーシックストリームを合成してリンク信号を生成し、前記映像信号と音声信号とを多重した前記リンク信号を送信する映像音声信号送信方法において、
前記音声信号からチャンネル毎の音声データを抽出する第１−１のステップと、
前記音声データを含む音声データパケットであることを示す識別データ及び前記抽出した音声データを、前記音声データパケットの所定領域にそれぞれ格納し、前記音声データパケットを生成する第１−２のステップと、
前記音声信号から、チャンネル毎の音声データに含まれるチャンネルに関する情報を抽出する第１−３のステップと、
前記チャンネルに関する情報に基づいて、音声制御データを生成する第１−４のステップと、
前記音声制御データを含む音声制御パケットであることを示す識別データ及び前記生成した音声制御データを、前記音声制御パケットの所定領域にそれぞれ格納し、前記音声制御パケットを生成する第１−５のステップと、
前記音声データパケットを、前記ベーシックストリームの補助データ領域に格納する第１−６のステップと、
前記音声制御パケットを、前記音声データパケットを格納した系統とは異なる系統の前記ベーシックストリームの補助データ領域に格納する第１−７のステップと、
を有することを特徴とする映像音声信号送信方法。
【請求項９】
請求項８に記載の映像音声信号送信方法において、
前記第１−６のステップは、
前記音声データパケットを、所定系統の前記ベーシックストリームの補助データ領域、及び前記所定系統とは異なる系統の前記ベーシックストリームの補助データ領域に格納する、ことを特徴とする映像音声信号送信方法。
【請求項１０】
請求項８または９に記載の映像音声信号送信方法において、
前記第１−７のステップは、
前記音声制御パケットを、前記音声データパケットを格納した系統とは異なる系統の前記ベーシックストリームの補助データ領域であって、所定系統の前記ベーシックストリームの補助データ領域、及び前記所定系統とは異なる系統の前記ベーシックストリームの補助データ領域に格納する、ことを特徴とする映像音声信号送信方法。
【請求項１１】
ＵＨＤＴＶ用の映像信号及び所定チャンネル数の音声信号が多重された複数系統のリンク信号を受信し、前記リンク信号毎に、当該リンク信号から複数系統のベーシックストリームを復元し、前記ベーシックストリームから対応するベーシックイメージを復元し、複数系統の前記ベーシックイメージを合成してサブイメージを生成し、複数系統の前記サブイメージを合成して前記ＵＨＤＴＶ用の映像信号を復元すると共に、前記所定チャンネル数の音声信号を復元する映像音声信号受信方法において、
前記ベーシックストリームの補助データ領域に格納されたパケットの識別データに基づいて、前記補助データ領域から音声制御パケットを抽出する第２−１のステップと、
前記音声制御パケットに格納された音声制御データを抽出する第２−２のステップと、
前記ベーシックストリームの補助データ領域に格納されたパケットの識別データに基づいて、前記補助データ領域から音声データパケットを抽出する第２−３のステップと、
前記音声データパケットに格納された音声データを抽出する第２−４のステップと、
前記音声データに基づいて、前記音声信号を復元する第２−５のステップと、
を有することを特徴とする映像音声信号受信方法。
【請求項１２】
請求項１１に記載の映像音声信号受信方法において、
前記第２−１のステップは、
前記ベーシックストリームの補助データ領域に格納されたパケットの識別データに基づいて、所定系統の前記ベーシックストリームの補助データ領域、及び前記所定系統とは異なる系統の前記ベーシックストリームの補助データ領域から音声制御パケットを抽出する、ことを特徴とする映像音声信号受信方法。
【請求項１３】
請求項１１または１２に記載の映像音声信号受信方法において、
前記第２−３のステップは、
前記ベーシックストリームの補助データ領域に格納されたパケットの識別データに基づいて、前記音声制御パケットが抽出された系統とは異なる系統の前記ベーシックストリームの補助データ領域であって、所定系統の前記ベーシックストリームの補助データ領域、及び前記所定系統とは異なる系統の前記ベーシックストリームの補助データ領域から音声データパケットを抽出する、ことを特徴とする映像音声信号受信方法。
【手続補正２】
【補正対象書類名】明細書
【補正対象項目名】００１４
【補正方法】変更
【補正の内容】
【００１４】
前記目的を達成するために、請求項１の映像音声信号送信装置は、ＵＨＤＴＶ用の映像信号及び所定チャンネル数の音声信号を入力し、前記映像信号のソースイメージを分割して複数のサブイメージを生成し、前記サブイメージ毎に、当該サブイメージを分割して複数のベーシックイメージを生成し、前記ベーシックイメージ毎に、当該ベーシックイメージから画素のラインデータを順次取り出して対応する系統のベーシックストリームを生成し、複数系統の前記ベーシックストリームを合成してリンク信号を生成し、前記映像信号と音声信号とを多重した前記リンク信号を送信する映像音声信号送信装置において、前記音声信号からチャンネル毎の音声データを抽出し、前記音声データを含む音声データパケットであることを示す識別データ及び前記抽出した音声データを、前記音声データパケットの所定領域にそれぞれ格納し、前記音声データパケットを生成する音声データパケット生成部と、前記音声信号から、チャンネル毎の音声データに含まれるチャンネルに関する情報を抽出し、前記チャンネルに関する情報に基づいて音声制御データを生成し、前記音声制御データを含む音声制御パケットであることを示す識別データ及び前記生成した音声制御データを、前記音声制御パケットの所定領域にそれぞれ格納し、前記音声制御パケットを生成する音声制御パケット生成部と、前記音声データパケット生成部により生成された音声データパケットを、前記ベーシックストリームの補助データ領域に格納し、前記音声制御パケット生成部により生成された音声制御パケットを、前記音声データパケットを格納した系統とは異なる系統の前記ベーシックストリームの補助データ領域に格納し、各系統のベーシックストリームを生成するベーシックストリーム生成部と、を備えたことを特徴とする。
【手続補正３】
【補正対象書類名】明細書
【補正対象項目名】００１５
【補正方法】変更
【補正の内容】
【００１５】
また、請求項２の映像音声信号送信装置は、請求項１に記載の映像音声信号送信装置において、前記ベーシックストリーム生成部が、前記ＵＨＤＴＶ用の映像信号の１フレームに対応する前記所定チャンネル数の音声信号から生成された前記音声データパケットを、１フレームに相当する前記ベーシックフレームに多重し、前記ＵＨＤＴＶ用の映像信号の１フレームに対応する前記所定チャンネル数の音声信号から生成された前記音声制御パケットを、前記音声データパケットを多重した系統とは異なる系統の１フレームに相当する前記ベーシックフレームに多重する、ことを特徴とする。
また、請求項３の映像音声信号送信装置は、請求項１または２に記載の映像音声信号送信装置において、前記ベーシックストリーム生成部が、前記音声データパケット生成部により生成された音声データパケットを、所定系統の前記ベーシックストリームの補助データ領域、及び前記所定系統とは異なる系統の前記ベーシックストリームの補助データ領域に格納する、ことを特徴とする。
また、請求項４の映像音声信号送信装置は、請求項１から３までのいずれか一項に記載の映像音声信号送信装置において、前記ベーシックストリーム生成部が、前記音声制御パケット生成部により生成された音声制御パケットを、前記音声データパケットを格納した系統とは異なる系統の前記ベーシックストリームの補助データ領域であって、所定系統の前記ベーシックストリームの補助データ領域、及び前記所定系統とは異なる系統の前記ベーシックストリームの補助データ領域に格納する、ことを特徴とする。
【手続補正４】
【補正対象書類名】明細書
【補正対象項目名】００１６
【補正方法】変更
【補正の内容】
【００１６】
さらに、請求項５の映像音声信号受信装置は、ＵＨＤＴＶ用の映像信号及び所定チャンネル数の音声信号が多重された複数系統のリンク信号を受信し、前記リンク信号毎に、当該リンク信号から複数系統のベーシックストリームを復元し、前記ベーシックストリームから対応するベーシックイメージを復元し、複数系統の前記ベーシックイメージを合成してサブイメージを生成し、複数系統の前記サブイメージを合成して前記ＵＨＤＴＶ用の映像信号を復元すると共に、前記所定チャンネル数の音声信号を復元する映像音声信号受信装置において、前記ベーシックストリームの補助データ領域に格納されたパケットの識別データに基づいて、前記補助データ領域から音声制御パケットを抽出して復元し、前記音声制御パケットに格納された音声制御データを抽出する音声制御パケット復元部と、前記ベーシックストリームの補助データ領域に格納されたパケットの識別データに基づいて、前記補助データ領域から音声データパケットを抽出して復元し、前記音声データパケットに格納された音声データを抽出し、前記音声データに基づいて、前記音声信号を復元する音声データパケット復元部と、を備えたことを特徴とする。
また、請求項６の映像音声信号受信装置は、請求項５に記載の映像音声信号受信装置において、前記音声制御パケット復元部が、前記ベーシックストリームの補助データ領域に格納されたパケットの識別データに基づいて、所定系統の前記ベーシックストリームの補助データ領域、及び前記所定系統とは異なる系統の前記ベーシックストリームの補助データ領域から音声制御パケットを抽出して復元し、前記音声制御パケットに格納された音声制御データを抽出する、ことを特徴とする。
また、請求項７の映像音声信号受信装置は、請求項５または６に記載の映像音声信号受信装置において、前記音声データパケット復元部が、前記ベーシックストリームの補助データ領域に格納されたパケットの識別データに基づいて、前記音声制御パケットが抽出された系統とは異なる系統の前記ベーシックストリームの補助データ領域であって、所定系統の前記ベーシックストリームの補助データ領域、及び前記所定系統とは異なる系統の前記ベーシックストリームの補助データ領域から音声データパケットを抽出して復元し、前記音声データパケットに格納された音声データを抽出し、前記音声データに基づいて、前記音声信号を復元する、ことを特徴とする。
【手続補正５】
【補正対象書類名】明細書
【補正対象項目名】００１７
【補正方法】変更
【補正の内容】
【００１７】
さらに、請求項８の映像音声信号送信方法は、ＵＨＤＴＶ用の映像信号及び所定チャンネル数の音声信号を入力し、前記映像信号のソースイメージを分割して複数のサブイメージを生成し、前記サブイメージ毎に、当該サブイメージを分割して複数のベーシックイメージを生成し、前記ベーシックイメージ毎に、当該ベーシックイメージから画素のラインデータを順次取り出して対応する系統のベーシックストリームを生成し、複数系統の前記ベーシックストリームを合成してリンク信号を生成し、前記映像信号と音声信号とを多重した前記リンク信号を送信する映像音声信号送信方法において、前記音声信号からチャンネル毎の音声データを抽出する第１−１のステップと、前記音声データを含む音声データパケットであることを示す識別データ及び前記抽出した音声データを、前記音声データパケットの所定領域にそれぞれ格納し、前記音声データパケットを生成する第１−２のステップと、前記音声信号から、チャンネル毎の音声データに含まれるチャンネルに関する情報を抽出する第１−３のステップと、前記チャンネルに関する情報に基づいて、音声制御データを生成する第１−４のステップと、前記音声制御データを含む音声制御パケットであることを示す識別データ及び前記生成した音声制御データを、前記音声制御パケットの所定領域にそれぞれ格納し、前記音声制御パケットを生成する第１−５のステップと、前記音声データパケットを、前記ベーシックストリームの補助データ領域に格納する第１−６のステップと、前記音声制御パケットを、前記音声データパケットを格納した系統とは異なる系統の前記ベーシックストリームの補助データ領域に格納する第１−７のステップと、を有することを特徴とする。
また、請求項９の映像音声信号送信方法は、請求項８に記載の映像音声信号送信方法において、前記第１−６のステップが、前記音声データパケットを、所定系統の前記ベーシックストリームの補助データ領域、及び前記所定系統とは異なる系統の前記ベーシックストリームの補助データ領域に格納する、ことを特徴とする。
また、請求項１０の映像音声信号送信方法は、請求項８または９に記載の映像音声信号送信方法において、前記第１−７のステップが、前記音声制御パケットを、前記音声データパケットを格納した系統とは異なる系統の前記ベーシックストリームの補助データ領域であって、所定系統の前記ベーシックストリームの補助データ領域、及び前記所定系統とは異なる系統の前記ベーシックストリームの補助データ領域に格納する、ことを特徴とする。
【手続補正６】
【補正対象書類名】明細書
【補正対象項目名】００１８
【補正方法】変更
【補正の内容】
【００１８】
さらに、請求項１１の映像音声信号受信方法は、ＵＨＤＴＶ用の映像信号及び所定チャンネル数の音声信号が多重された複数系統のリンク信号を受信し、前記リンク信号毎に、当該リンク信号から複数系統のベーシックストリームを復元し、前記ベーシックストリームから対応するベーシックイメージを復元し、複数系統の前記ベーシックイメージを合成してサブイメージを生成し、複数系統の前記サブイメージを合成して前記ＵＨＤＴＶ用の映像信号を復元すると共に、前記所定チャンネル数の音声信号を復元する映像音声信号受信方法において、前記ベーシックストリームの補助データ領域に格納されたパケットの識別データに基づいて、前記補助データ領域から音声制御パケットを抽出する第２−１のステップと、前記音声制御パケットに格納された音声制御データを抽出する第２−２のステップと、前記ベーシックストリームの補助データ領域に格納されたパケットの識別データに基づいて、前記補助データ領域から音声データパケットを抽出する第２−３のステップと、前記音声データパケットに格納された音声データを抽出する第２−４のステップと、前記音声データに基づいて、前記音声信号を復元する第２−５のステップと、を有することを特徴とする。
また、請求項１２の映像音声信号受信方法は、請求項１１に記載の映像音声信号受信方法において、前記第２−１のステップが、前記ベーシックストリームの補助データ領域に格納されたパケットの識別データに基づいて、所定系統の前記ベーシックストリームの補助データ領域、及び前記所定系統とは異なる系統の前記ベーシックストリームの補助データ領域から音声制御パケットを抽出する、ことを特徴とする。
また、請求項１３の映像音声信号受信方法は、請求項１１または１２に記載の映像音声信号受信方法において、前記第２−３のステップが、前記ベーシックストリームの補助データ領域に格納されたパケットの識別データに基づいて、前記音声制御パケットが抽出された系統とは異なる系統の前記ベーシックストリームの補助データ領域であって、所定系統の前記ベーシックストリームの補助データ領域、及び前記所定系統とは異なる系統の前記ベーシックストリームの補助データ領域から音声データパケットを抽出する、ことを特徴とする。